(57)【要約】【課題】装置によってタングをパネルの挿入溝に挿入するための方法及び装置を提供する。【解決手段】本方法は、パンチャー８１を第１方向９１に移動させることによってタング案内装置を第１方向９１に移動させる工程と、パンチャー８１を更に移動させることによってタング３０をタング案内装置の第１部分８３と第２部分との間でパネルの挿入溝２０内に移動させる工程とを含む。
2019529814.tif 000002
【特許請求の範囲】
【請求項１】
タングをパネルの挿入溝に装置で挿入するための方法において、
パンチャー（８１）を第１方向（９１）に移動させることによってタング案内装置を第１方向（９１）に移動させる工程と、
前記パンチャー（８１）を更に移動させることによって、タング（３０）を前記タング案内装置の第１部分（８３）と第２部分（８２）との間でパネルの挿入溝（２０）内に移動させる工程とを含む、ことを特徴とする方法。
【請求項２】
前記パンチャー（８１）を、前記第１方向（９１）に、前記タング案内装置の移動距離よりも大きい距離だけ移動させる工程を含む、請求項１に記載の方法。
【請求項３】
前記タング案内装置の前記第１部分（８３）を、前記第１方向（９１）に、前記案内装置の前記第２部分（８２）よりも大きい距離だけ移動させる工程を含む、請求項１又は２に記載の方法。
【請求項４】
前記パンチャー（８１）及び前記タング案内装置を、前記第１方向（９１）とは逆方向の第２方向（９２）に、前記パンチャー（８１）及び前記タング案内装置の夫々の初期位置に向かって移動させる工程を含む、請求項１、２、又は３に記載の方法。
【請求項５】
タングキューストッパ（８４）を方向（９３）に前記タング案内装置によって、好ましくは突出部分（８５）によって移動させる工程及び新たなタング（３０’’’）を供給する工程とを含む、請求項４に記載の方法。
【請求項６】
前記タング案内装置の第１部分（８３）がその初期位置に達したとき、又はほぼ達したとき、前記新たなタング（３０’’’）を前記タング案内装置内に移動させる工程を含む、請求項５に記載の方法。
【請求項７】
前記パンチャー（８１）及び前記タング案内装置を定置のタングキュー装置（１００）に対して移動させる工程を含む、請求項１乃至６のうちのいずれか一項に記載の方法。
【請求項８】
前記パンチャー（８１）を前記第１方向（９１）に、及び好ましくは前記第１方向（９１）とは逆方向の第２方向（９２）に、電気モータ又は空気圧モータ等のモータによって移動させる工程を含む、請求項１乃至７のうちのいずれか一項に記載の方法。
【請求項９】
タングをパネルの挿入溝に挿入するための装置であって、第１方向（９１）に移動可能なタング案内装置と、タング（３０）を第１部分（８３）と第２部分（８２）との間でパネルの挿入溝（２０）内に移動させるように形成されたパンチャー（８１）とを含み、
前記タング案内装置は、前記第１方向（９１）に移動可能な前記パンチャーによって移動させるように形成されている、装置。
【請求項１０】
前記パンチャー（８１）は、前記第１方向に、前記タング案内装置よりも大きい距離だけ移動可能である、請求項９に記載の装置。
【請求項１１】
前記タング案内装置の前記第１部分（８３）は、前記第１方向に、前記案内装置の前記第２部分（８２）よりも大きい距離だけ移動可能である、請求項９又は１０に記載の装置。
【請求項１２】
前記パンチャー（８１）及び前記タング案内装置は、前記第１方向（９１）とは逆方向の第２方向（９２）に、前記パンチャー（８１）及び前記タング案内装置の夫々の初期位置に向かって移動可能である、請求項９、１０、又は１１に記載の装置。
【請求項１３】
前記装置は、新たなタングの供給を制御するための移動可能なタングキューストッパ（４）を含み、該タングキューストッパ（４）は、好ましくは、前記タング案内装置の突出部分（８５）と協働するように形成されている、請求項１２に記載の装置。
【請求項１４】
前記装置は、前記タング案内装置の第１部分（８３）がその初期位置に達したとき、又はほぼ達したとき、新たなタング（３０’’’）が前記タング案内装置内に移動するように形成されている、請求項９乃至１３のうちのいずれか一項に記載の装置。
【請求項１５】
前記パンチャー（８１）及び前記タング案内装置は、定置のタングキュー装置（１００）に対して移動可能である、請求項９乃至１４のうちのいずれか一項に記載の装置。
【請求項１６】
前記装置は、前記パンチャー（８１）を前記第１方向（９１）に、及び好ましくは前記第１方向（９１）とは逆方向の第２方向（９２）に駆動するように形成された電気モータ又は空気圧モータ等のモータを含む、請求項９乃至１５のうちのいずれか一項に記載の装置。
【発明の詳細な説明】
【技術分野】
【０００１】
本発明の実施例は、タングをパネルの挿入溝に挿入するための方法及び装置に関する。パネルは、タングを含む係止装置によって隣接パネルに対して垂直に配置され、係止されるように形成されている。パネルを組み立てて互いに係止し、本棚、食器棚、洋服箪笥、箱、引き出し又は家具部品等の家具製品を形成してもよい。
【背景技術】
【０００２】
従来の家具製品は、複数のエレメント又はパネルによって組み立てられている。これらのパネルは、例えばＷＯ２０１２／１５４１１３Ａ１に開示されているような機械式係止装置で組み立てられている。製品は、機械式係止装置によって第２パネルに対して垂直に連結された第１パネルを含む。機械式係止装置は、第１パネルの縁部タング、第２パネルの縁部溝、及び挿入溝内の可撓性タングを含む。
【０００３】
ＷＯ２０１５／０３８０５９には、挿入溝内の可撓性タングを含む機械式係止装置によって係止された複数のパネルによって組み立てられた製品が開示されている。
【０００４】
パネルの係止装置は、一般的には、多数のフライス工具を含む製造ラインで連続的製造プロセスによって製造される。縁部溝及び挿入溝は、パネルの前縁部から後縁部まで近接して延びていてもよい。縁部溝は、好ましくは、前縁部が装飾層によって覆われている。縁部溝及び挿入溝は、例えばＳＥ１６５０１３５−５に開示されているように、前縁部及び／又は後縁部の前で終端していてもよい。
【０００５】
本発明の実施例は、タングをパネルの挿入溝に挿入する前にタングをタングブランクから分離するための改良された方法及び改良された装置を提供するという必要に対処する。
【０００６】
【特許文献１】ＷＯ２０１２／１５４１１３Ａ１
【特許文献２】ＷＯ２０１５／０３８０５９
【特許文献３】ＳＥ１６５０１３５−５
【発明の概要】
【発明が解決しようとする課題】
【０００７】
従って、本発明の実施例は、好ましくは、タングをパネルの挿入溝に挿入するための方法を提供することにより、当該技術における上述の単独の又は任意の組み合わせの一つ又はそれ以上の不備、欠点、又は問題点を少なくし、軽減し、又はなくそうとするものである。
【０００８】
本発明の実施例の別の目的は、タングをパネルの挿入溝に挿入するための装置を提供することである。
【０００９】
本発明の実施例には、タングが正しい位置に確実に案内されるという利点、及び移動される装置の部品の重量が小さく、部品の移動速度が高められ、タングを挿入するための時間が短縮されるという利点がある。
【課題を解決するための手段】
【００１０】
以下の説明から明らかになる、これらの及び他の目的及び利点の少なくとも幾つかは、本発明の第１の態様によって達成される。本発明の第１の態様は、タングをパネルの挿入溝に装置で挿入するための方法において、
パンチャーを第１方向に移動させることによってタング案内装置を第１方向に移動させる工程と、
パンチャーを更に移動させることによって、タングをタング案内装置の第１部分と第２部分との間でパネルの挿入溝内に移動させる工程とを含む方法である。
【００１１】
この実施例は、パネルをパネル供給方向に移動させながらタングをパネルの挿入溝の一実施例に挿入する上で有利である。この実施例は、タングを、供給方向に側壁を持つ挿入溝に、及び／又は供給方向に側壁を持つ縁部溝の挿入溝に挿入する上で特に有利である。側壁は、パネルの隣接縁部から所定距離にある縁部溝又は挿入溝の端部であってもよい。タングが正しい位置の近くに確実に案内されるように、タング案内装置を挿入溝の開口部の近くまで移動させてもよい。タング案内装置は、タングを挿入溝内に移動させた後、任意の側壁、又は好ましくは供給方向に連続的に移動するパネルの他の障害物と衝突する前に、初期位置に向かって移動させてもよい。
【００１２】
方法は、パンチャーを、第１方向に、タング案内装置の移動距離よりも大きい距離だけ移動させる工程を含んでいてもよい。
【００１３】
方法は、タング案内装置の第１部分を、第１方向に、案内装置の第２部分よりも大きい距離だけ移動させる工程を含んでいてもよい。
【００１４】
方法は、パンチャー及びタング案内装置を、第１方向とは逆方向の第２方向に、パンチャー及びタング案内装置の夫々の初期位置に向かって移動させる工程を含んでいてもよい。
【００１５】
方法は、タングキューストッパをタング案内装置によって、好ましくは突出部分によって移動させる工程及び新たなタングを供給する工程とを含んでいてもよい。新たなタングは、好ましくは、タングと同じであるか或いは本質的に同じである。
【００１６】
方法は、タング案内装置の第１部分がその初期位置に達したとき、又はほぼ達したとき、新たなタングをタング案内装置内に移動させる工程を含んでいてもよい。
【００１７】
方法は、パンチャー及びタング案内装置を定置のタングキュー装置に対して移動させる工程を含んでいてもよい。
【００１８】
方法は、パンチャーを第１方向に、及び好ましくは第１方向とは逆方向の第２方向に電気モータ又は空気圧モータ等のモータによって移動させる工程を含んでいてもよい。
【００１９】
本発明の第２の態様は、タングをパネルの挿入溝に挿入するための装置を含む。この装置は、第１方向に移動可能なタング案内装置と、タングを第１部分と第２部分との間でパネルの挿入溝内に移動させるように形成されたパンチャーとを含み、タング案内装置は、第１方向に移動可能なパンチャーによって移動されるように形成されている。
【００２０】
パンチャーは、第１方向に、タング案内装置よりも大きい距離だけ移動可能であってもよい。
【００２１】
タング案内装置の第１部分は、第１方向に、案内装置の第２部分よりも大きい距離だけ移動可能であってもよい。
【００２２】
パンチャー及びタング案内装置は、第１方向とは逆方向の第２方向で、パンチャー及びタング案内装置の夫々の初期位置に向かって移動可能であってもよい。
【００２３】
装置は、新たなタングの供給を制御するための移動可能なタングキューストッパを含み、該タングキューストッパは、好ましくは、タング案内装置の突出部分と協働するように形成されていてもよい。新たなタング及びタングキュー内のタングは、好ましくは、タングと同じであるか或いは本質的に同じである。
【００２４】
装置は、タング案内装置の第１部分がその初期位置に達したとき、又はほぼ達したとき、新たなタングがタング案内装置内に移動するように形成されていてもよい。
【００２５】
パンチャー及びタング案内装置は、定置のタングキュー装置に対して移動可能であってもよい。
【００２６】
装置は、好ましくは、モータ等の動力装置とパンチャーとの間にばねエレメントを含む。ばねエレメントには、パネル、挿入溝、及びパンチャーが誤った位置に位置決めされた場合に装置及び／又はパネルが損傷しないという利点があってもよい。
【００２７】
装置は、パンチャーを第１方向に、及び好ましくは第１方向とは逆方向の第２方向に駆動するように形成された電気モータ又は空気圧モータ等のモータを含んでいてもよい。
【００２８】
パンチャー、第１部分、及び第２部分は、好ましくは、パンチャー、第１部分、及び第２部分の所望位置が得られるように、ばねエレメントによって互いに連結されている。
【００２９】
装置の実施例の利点は、少なくともパンチャー及び案内装置を、好ましくは更にキューストッパを駆動するのにモータが一つしか必要とされないということである。モータの数を一つだけにすることにより、装置の重量を減少できる。
【００３０】
第１及び／又は第２の態様によるタングは、以下の特徴の一つ又はそれ以上を備えていてもよい。
【００３１】
タングは細長い形状を備えていてもよく、第１長縁部及び第２長縁部を含んでいてもよい。第１縁部は、第１短縁部であってもよく、第２縁部は反対側の第２短縁部であってもよい。
【００３２】
タングの長さ方向は、好ましくは、第１方向に対して垂直である。
【００３３】
タングは可撓性タングであってもよく、例えばポリマーで形成されており、好ましくは繊維例えばガラス繊維等の強化材を含む。
【００３４】
タングは第１長縁部に湾曲可能部分を含んでいてもよく、好ましくは湾曲可能部分と隣接して溝を含んでいてもよい。湾曲可能部分は、湾曲可能部分と隣接した溝に押し込まれるように形成されていてもよい。タングは、前記湾曲可能部分を幾つか含んでいてもよく、好ましくは、前記溝の幾つかを含んでいてもよい。
【００３５】
タングは、ポリマー材料で形成されていてもよく、好ましくは射出成形によって製造される。
【００３６】
タングは、第１短縁部が第１レールによって、好ましくは、第２短縁部が第２レールによって、タングブランクの幾つかのタングに連結されていてもよい。好ましくは、タングがタングキュー装置のタングキューまで移動する前に、分離装置がタングを第１レールから、好ましくは第２レールから分離する。
【００３７】
第１レール及び第２レールは、タングに垂直な長さ方向に延びていてもよい。
【００３８】
タングは、成形ゲートとなる第１レール及び第２レールに、第１及び第２の成形ゲートの夫々によって連結されていてもよい。
【００３９】
タングは、好ましくは、挿入溝内で変位可能であるように形成されている。
【００４０】
装置は、好ましくは、パネルの縁部に係止装置を形成するための研削工具を含む製造ラインの一部である。係止装置は、好ましくは、前記挿入溝を含む。
【００４１】
縁部溝及び挿入溝は、パネルの前縁部から後縁部まで近接して延びていてもよい。
【００４２】
本発明の実施例により可能となるこれらの及び他の態様、特徴、及び利点は、本発明の実施例の以下の説明を添付図面を参照して読むことにより明らかになるであろう。
【図面の簡単な説明】
【００４３】
【図１】図１Ａ乃至図１Ｈは、本発明の一実施例に従ってタングをパネルの挿入溝に挿入するための方法を示す図である。
【図２】図２は、本発明の一実施例による装置の図１Ａと対応する位置での拡大概略断面図である。
【図３】図３Ａ及び図３Ｂは、本発明の一実施例による装置の図１Ｅと対応する位置での拡大概略断面図である。
【図４】図４Ａ−図４Ｄは、本発明の実施例によるタングの実施例を示す図である。
【図５】図５Ａ−図５Ｄは、本発明の一実施例によるタングの実施例を示す図である。
【図６】図６Ａ−図６Ｄは、本発明の実施例によるパネルの実施例を示す図である。
【発明を実施するための形態】
【００４４】
本発明の特定の実施例を以下に添付図面を参照して説明する。しかしながら、本発明は、多くの様々な形態で実施されてもよく、本明細書中に説明した実施例に限定されると解釈されるべきではなく、むしろ、これらの実施例は、本開示が徹底的であり且つ完全であるように提供されるものであり、本発明の範囲を当業者に伝えるものである。添付図面に示す実施例の詳細な説明で使用した用語は、本発明を限定しようとするものではない。添付図面において、同様の要素に同様の参照番号が付してある。
【００４５】
タングを挿入溝に挿入するための方法及びこの方法を実施するための装置の実施例を示す。この方法及び方法により効率が改善される。これらの実施例は、パネルをパネル供給方向に移動しながらタングをパネル縁部の挿入溝に挿入する上で有利である。これらの実施例は、タングを、供給方向で側壁を持つ挿入溝に挿入する上で、及び／又は供給方向に側壁を持つ縁部溝の挿入溝に挿入する上で特に有利である。
【００４６】
本方法の一実施例を図１Ａ−図１Ｈに示す。この方法は、装置によってタング３０をパネルの挿入溝２０に挿入する工程を含む。この方法は、
パンチャー８１を第１方向９１に移動させることによってタング案内装置を第１方向９１に移動させる工程と、
タング３０を更に移動させることによって、タングをタング案内装置の第１部分８３と第２部分８２との間で、及びパネルの挿入溝２０内に、パンチャー８１によって移動させる工程とを含む。
【００４７】
本方法は、パンチャー８１を、第１方向９１に、タング案内装置の前記移動距離よりも長い距離だけ移動させる工程を含んでいてもよい。図１Ａは、パンチャー８１及び案内装置の初期位置を示す。案内装置を、図１Ｄに示す外端位置に達するまで、第１位置に移動させる。図１Ｅに示す外端位置に達するまで、パンチャーを移動させ続ける。
【００４８】
本方法は、タング案内装置の第１部分８３を、第１方向９１に、案内装置の第２部分８２よりも長い距離だけ移動させる工程を含んでいてもよい。第１部分及び第２部分は外端位置が同じであってもよく、これを図１Ｄに示す。第１部分の初期位置は、第２部分の初期位置から所定距離のところにあってもよい（図１Ａ参照）。この距離は、タング３０の幅と本質的に同じであってもよいしこれよりも長くてもよい。
【００４９】
本方法は、パンチャー８１及びタング案内装置を、第１方向９１とは逆の第２方向９２に、パンチャー８１及びタング案内装置の初期位置に向かって夫々移動する工程を含んでいてもよい。第２方向でのパンチャー８１の移動開始を図１Ｆに示す。第２方向での案内装置の移動開始、即ちパンチャー８１の移動開始後を図１Ｇに示す。
【００５０】
本方法は、図１Ｄに示すように、タングキューストッパ８４を、タング案内装置によって方向９３に、好ましくは突出部分８５によって移動させる工程、及び新たなタング３０’’’を供給する工程を含んでいてもよい。本方法は、タング案内装置が第２方向に移動されているとき（図１Ｇ参照）にタングキューストッパを逆方向９４に移動させる工程を含んでいてもよい。
【００５１】
本方法は、タング案内装置の第１部分８３が図１Ｈに示すようにその初期位置に達したとき、又はほぼ達したとき、新たなタング３０’’’をタング案内装置内に移動させる工程を含んでいてもよい。
【００５２】
本方法は、パンチャー８１及びタング案内装置をタングキュー装置１００に関して移動させる工程を含んでいてもよい。タングキュー装置１００は定置であってもよい。
【００５３】
本方法は、パンチャー８１を電気モータ又は空気圧モータ等のモータ（図示せず）によって第１方向９１に、及び好ましくは第１方向とは反対方向の第２方向９２に移動させる工程を含んでいてもよい。
【００５４】
初期位置の装置８０の一実施例を図２に示し、外端位置を図３Ａ及び図３Ｂに示す。図３Ｂは、縁部溝２１の挿入溝２０、タング３０、パンチャー８１、及びタング案内装置の第１部分８３及び第２部分８２を含む、パネル１の一実施例を示す。タング案内装置を挿入溝の開口部に近い位置まで移動させる。案内装置と開口部との間の距離は、好ましくは約１ｍｍであり、約０．５ｍｍ乃至約２ｍｍの範囲内にあってもよい。装置は、第１方向９１に移動可能なタング案内装置と、タング３０を第１部分８３と第２部分８２との間でパネルの挿入溝２０内に移動させるパンチャー８１とを含み、タング案内装置は、第１方向９１に移動可能なパンチャーによって移動するように形成されている。
【００５５】
図２及び図３は、パンチャー８１をモータに連結エレメントで連結するための取り付け装置８８を示す。連結エレメントは、ばねエレメントを含んでいてもよい。
【００５６】
パンチャー８１、タング案内装置の第１部分８３及び第２部分８２は、好ましくは、パンチャー８１、タング案内装置の第１部分８３及び第２部分８２の所望の位置が得られるように、ばねエレメント７１、７２によって互いに連結されている。
【００５７】
パンチャー８１は、第２ばね７２によって連結装置８６に連結されていてもよい。
【００５８】
タング案内装置の第１部分８３は、連結装置８６に取り付けられていてもよい。タング案内装置の第１部分８３は、連結装置８６に対して移動可能でなくてもよい。
【００５９】
タング案内装置の第２部分８２は、連結装置８６に取り付けられていてもよい。タング案内装置の第２部分８２は、第１ばね７１によって連結装置８６に連結されていてもよい。
【００６０】
装置８０の一実施例は、第１案内溝１０２を含む固定構造エレメント１０１を含んでいてもよい。案内装置の第２部分８２の突出部分８７は、第１案内溝１０２の第１面１０３と第１案内溝の反対側の第２面１０４との間で移動可能であるように形成されていてもよい。
【００６１】
パンチャー８１は、突出部分を、例えば第２ばね７２、連結装置８６、及び第１ばね７１を介して、第１案内溝１０２の第１面１０３と第２面１０４との間で駆動するように形成されていてもよい。第１面１０３及び第２面１０４は、案内装置の第２部分８２の第１方向９１及び第２方向９２の夫々での移動範囲を決定する。
【００６２】
タング案内装置の第２部分８２は、第１面６１及び反対側の第２面６２を含む第２案内溝７３を含んでいてもよい。連結装置８６は、タング案内装置の第２部分８２に対して移動可能であってもよい。第１面６１及び反対側の第２面６２は、タング案内装置の第２部分８２に対する連結装置８６の第１方向９１及び第２方向９２の夫々での移動範囲を決定する。
【００６３】
パンチャー８１は、第１面６３及び反対側の第２面６４を含む第３案内溝７４を含んでいてもよい。パンチャー８１は、連結装置８６に対して移動可能であってもよい。
【００６４】
第３案内溝７４の第１面６３及び反対側の第２面６４は、連結装置８６に対するパンチャー８１の第１方向９１及び第２方向９２の夫々での移動範囲を決定してもよい。
【００６５】
連結装置８６は、図２に示す初期位置では、第２案内溝７３の第２面６２と接触しており、第１ばね７１が圧縮されている。
【００６６】
案内装置の第２部分８２の突出部分は、図２に示す初期位置では、第１案内溝１０２の第１面１０３と接触している。
【００６７】
連結装置８６は、図３Ａに示す外端位置では、第３案内溝７４の第２面６４と接触しており、第２ばね７１が圧縮されている。
【００６８】
案内装置の第２部分８２の突出部分８７は、図３Ａに示す外端位置では、第１案内溝１０２の第２面１０４と接触している。
【００６９】
パンチャー８１は、第１方向で、タング案内装置よりも大きい距離だけ移動可能であってもよい。
【００７０】
タング案内装置の第１部分８３は、第１方向で、案内装置の第２部分８２よりも長い距離だけ移動可能であってもよい。
【００７１】
パンチャー８１及びタング案内装置は、第１方向９１とは逆方向の第２方向９２に、パンチャー８１及びタング案内装置の夫々の初期位置に向かって移動可能であってもよい。
【００７２】
装置は、新たなタングの供給を制御するための移動可能なタングキューストッパ８４を含んでいてもよく、タングキューストッパは、好ましくは、タング案内装置の突出部分８５と協働するように形成されている。
【００７３】
タングキューストッパ８４を移動させる突出部分８５は、連結装置８６に取り付けられていてもよい。突出部分８５は、連結装置８６に対して移動可能でなくてもよい。
【００７４】
装置は、タング案内装置の第１部分８３がその初期位置に達したとき、又はほぼ達したとき、新たなタング３０’’’がタング案内装置内に移動するように形成されていてもよい。新たなタング及びタングキュー内のタングは、好ましくは、タングと同じであり、又は本質的に同じである。
【００７５】
パンチャー８１及びタング案内装置は、定置であってもよいタングキュー装置１００に関して移動可能であってもよい。
【００７６】
装置は、好ましくは、モータ（図示せず）等の動力装置とパンチャー８１との間にばねエレメントを備えている。ばねエレメントには、パネル、挿入溝、及びパンチャーのいずれか一つが誤った位置に位置決めされた場合に、装置及び／又はパネルが損傷しないという利点がある。
【００７７】
装置は、パンチャー８１を第１方向９１に及び好ましくは、第１方向９１とは逆方向の第２方向に駆動する電気モータ又は空気圧モータ等のモータ（図示せず）を含んでいてもよい。
【００７８】
タングキューストッパ８４は、好ましくは、ばねエレメント７５によって装置に連結されている。タングキューストッパは、タング案内装置と協働することによって一方向９３に移動してもよく、ばねエレメントによって戻し方向９４に移動してもよい。
【００７９】
装置のこの実施例の利点は、パンチャー、案内装置、及びタングキューストッパの駆動に一つのモータしか必要とされないということである。
【００８０】
挿入溝２０内で変位可能なタング３０の実施例（図６Ａ乃至図６Ｄ参照）が図４Ａ乃至図４Ｄに示してある。図３Ａ及び図３Ｂに示すタングの第１実施例は、タングの第１長さ方向縁部に湾曲可能突出部分３１を備えている。第１実施例は、図４Ａに弛緩状態で示してあり、図４Ｂに圧縮状態で示してある。タングの第２長縁部は、好ましくは、本質的に直線状である。第１実施例は、湾曲可能突出部分が挿入溝の底部に面しており且つ第２縁部が挿入溝の開口部を越えて延びる状態で挿入溝に挿入されていてもよい。図４Ｃ図に弛緩状態で示すタングの第２実施例は、細長い形状をしており且つ可撓性である。第２実施例は、タングの第１長縁部に凹所３７を有し、第２縁部が本質的に直線状である。凹所は、第２実施例の圧縮状態では小さくなる。第２実施例は、凹所３７が挿入溝の底部に面し、第２縁部が挿入溝の開口部を越えて延びる状態で挿入溝に挿入されてもよい。図４Ｄに示すタングの第３実施例は、可撓性の第１部分３８を有する。第１部分３８は、圧縮されるように形成された第１部分３８と、剛性の第２部分３９とを含む。第１部分は挿入溝内に配置されてもよく、第２部分は一部が挿入溝の開口部を越えて延びていてもよい。
【００８１】
タングは、例えばＷＯ２００６／０４３８９３及びＷＯ２００７／０１５６６９に開示された変位可能なタングの任意の実施例と同様に形成されていてもよい。出典を明示することにより、この出願に開示された全ての内容は本明細書の開示の一部とされる。
【００８２】
タングは可撓性であってもよく、例えばポリマーで形成されていてもよく、好ましくは、繊維、例えばガラス繊維等の強化材を含む。
【００８３】
タング３０の別の実施例を図５Ａ乃至図５Ｄに示す。タングは、細長い形状をしており、第１短縁部３４、反対側の第２短縁部３６、第１長縁部及び第２長縁部３２を含む。図５Ｄは、図５Ａに示す丸で囲った領域Ａの拡大図を示す。タングは、第１長縁部に幾つかの湾曲可能部分３１を含み、これらの湾曲可能部分３１の各々が溝３３を備えている。タングは、ポリマー材料で形成されており、好ましくは射出成形によって製造される。湾曲可能部分３１は、タングが圧縮された状態で溝３３に押し込まれるように形成されている。
【００８４】
図５Ａは、タングブランクで第１短縁部３４の第１レール３５によって及び第２短縁部３６の第２レール３７によって幾つかのタング（図示せず）に連結されたタングの一実施例を示す。第１レール及び第２レールは、タングに垂直に長さ方向に延びる。タングは、鋳造ゲートであってもよい第１レール及び／又は第２レールに、第１及び第２の鋳造ゲート４１、４２の夫々によって連結されていてもよい。
【００８５】
図５Ｂ及び図５Ｃは、タング３０の横断面図を示す。タングは図５Ｂでは弛緩状態にあり、図５Ｃでは圧縮状態にある。湾曲可能部分３１の外部分と第２長縁部３２との間の距離は、圧縮状態において、弛緩状態におけるのと比較して短い。
【００８６】
タングは、パネルを隣接パネルに係止するため、好ましくは、パネルの挿入溝に挿入されるように形成されている。
【００８７】
図６Ａ乃至図６Ｄは、パネル１の実施例を示す。これらの実施例は、各々、挿入溝２０の一実施例に挿入され、隣接パネル２に連結されたタング３０の一実施例を含む。図６Ａ乃至図６Ｄに示すパネルの実施例は、家具パネルであってもよい。図６Ｃに示すパネルの実施例は、床パネルであってもよい。
【００８８】
図６Ａは、隣接パネル２に垂直に配置され、第１方向及び第１方向に垂直な第２方向で隣接パネルに係止されたパネル１を示す。パネルは、パネル上面に縁部溝２１を備えている。縁部溝２１は細長い形状をしており、パネル１の縁部に沿って延びている。縁部溝は、縁部溝に沿って延びる、前記タング３０を受け入れる挿入溝２０を含む。隣接パネルは、隣接パネルの縁部に沿って延びるタング溝１０を含む縁部タング２２を含む。タング３０は、パネル１を隣接パネル２に第１方向で互いに係止するため、タング溝１０と協働するように形成されている。縁部タング２２は、パネル１を隣接パネル２と第２方向で互いに係止するため、縁部溝２１と協働するように形成されている。
【００８９】
図６Ｂは、隣接パネル２に対して垂直に配置されており且つ第１方向で及び第１方向に垂直な第２方向で隣接パネルに係止したパネル１を示す。隣接パネルは、隣接パネルの上面に縁部溝を備えている。縁部溝２１は細長い形状をしており、隣接パネル１の縁部に沿って延びている。縁部溝は、タング溝１０を含む。パネルは、前記タング３０を含む前記挿入溝２０を備えた縁部タング２２を含む。挿入溝は、縁部タングに沿って延びている。タング３０は、パネル１を隣接パネル２と第１方向で互いに係止するため、タング溝１０と協働するように形成されている。縁部タング２２は、パネル１を隣接パネル２と第２方向で互いに係止するため、縁部溝２１と協働するように形成されている。
【００９０】
図６Ｃは、隣接パネル２と平行に配置された、第１方向で及び第１方向に垂直な第２方向で隣接パネルに係止されたパネル１を示す。パネルは、パネルの縁部に沿って延びる前記挿入溝２０を含む。縁部は、縁部から突出したストリップを含む。ストリップは、上方に突出した係止エレメントを含む。隣接パネル２は、隣接パネル２の隣接した縁部に沿って延びるタング溝１０を含む。隣接した縁部は、開口部が下方に向いた係止溝を備えている。タング３０は、パネルを隣接パネルに第１方向で係止するため、タング溝１０と協働するように形成されており、係止エレメントは、パネルを隣接パネルに第２方向で係止するため、係止溝と協働するように形成されている。前記第１及び第２のパネルの一実施例は、隣接パネルの隣接した縁部の挿入溝２０及びパネルの縁部のタング溝１０を含む。
【００９１】
図６Ｄは、図６Ａに示すパネル及び隣接パネルの一実施例を示す斜視図である。縁部タング２２は、隣接パネルの縁部４に沿って延びており、隣接パネル２の隣接した縁部６の手前で終端する。縁部溝２１は、パネル１の縁部３に沿って延びており、パネル１の隣接した縁部５の手前で終端する。
【００９２】
上文中に説明したパネル及び隣接パネルの実施例のコア材料は、ＨＤＦ、ＭＤＦ、合板、無垢板、又はパーティクルボード等の木材繊維を基材としたボード、又は強化プラスチックボード、又は木材繊維複合材料ボードで形成されていてもよい。コアには、装飾層が設けられていてもよい。
【符号の説明】
【００９３】
１  パネル
２  隣接パネル
４  タングキューストッパ
２０  挿入溝
３０  タング
３０’’’  新たなタング
８１  パンチャー
８４  タングキューストッパ
８５  突出部分
１００  タングキュー装置
【図１Ａ】
2019529814.tif 000003
【図１Ｂ】
2019529814.tif 000004
【図１Ｃ】
2019529814.tif 000005
【図１Ｄ】
2019529814.tif 000006
【図１Ｅ】
2019529814.tif 000007
【図１Ｆ】
2019529814.tif 000008
【図１Ｇ】
2019529814.tif 000009
【図１Ｈ】
2019529814.tif 000010
【図２】
2019529814.tif 000011
【図３Ａ】
2019529814.tif 000012
【図３Ｂ】
2019529814.tif 000013
【図４Ａ】
2019529814.tif 000014
【図４Ｂ】
2019529814.tif 000015
【図４Ｃ】
2019529814.tif 000016
【図４Ｄ】
2019529814.tif 000017
【図５Ａ】
2019529814.tif 000018
【図５Ｂ】
2019529814.tif 000019
【図５Ｃ】
2019529814.tif 000020
【図５Ｄ】
2019529814.tif 000021
【図６Ａ】
2019529814.tif 000022
【図６Ｂ】
2019529814.tif 000023
【図６Ｃ】
2019529814.tif 000024
【図６Ｄ】
2019529814.tif 000025
【国際調査報告】
2019529814.tif 000026
2019529814.tif 000027
2019529814.tif 000028
2019529814.tif 000029
2019529814.tif 000030
2019529814.tif 000031
2019529814.tif 000032